(57)【要約】【課題】排水性の向上を図り、嵩上げ材の寸法の多様化を図ることができるグレーチングを提供する。【解決手段】上下に貫通する複数の排水口３，３を間に形成するように間隔をおいて並設される複数のメインバー４，４を有する本体２と、この本体２の両側下部に一体に設けられた嵩上げ材１１，１１とを備える。メインバー４の下部に嵩上げ材１１の上面が接し、嵩上げ材１１の上面に長さ方向に連続する開口部１７を設け、嵩上げ材１１の長さ方向端部に端部開口部１８を設けたから、上面の長さ方向に連続して設けた開口部１７から、雨水を嵩上げ材１１に内部を通して端部開口部１８から排水できるため、排水性を向上することができ、しかも、開口部１７の分だけ製品の軽量化を図ることができる。【選択図】図１
0003173152.tif 000002
【実用新案登録請求の範囲】
【請求項１】
上下に貫通する複数の排水口を間に形成するように間隔をおいて並設される複数のメインバーを有する本体と、この本体の両側下部に一体に設けられた嵩上げ材とを備えたグレーチングにおいて、前記メインバーの下部に前記嵩上げ材の上面が接し、前記嵩上げ材の前記上面に長さ方向に連続する開口部を設け、前記嵩上げ材の長さ方向端部に端部開口部を設けたことを特徴とするグレーチング。
【請求項２】
前記嵩上げ材は、底板部と、両側板部と、前記底板部と前記側板部との間に設けた折曲げ部とを備えることを特徴とする請求項１記載のグレーチング。
【請求項３】
前記嵩上げ材は、底板部と、両側板部と、前記底板部と前記側板部との間に設けた折曲げ部と、前記両側板部の少なくとも一方の上端に折曲げ部により連結した横方向の上板部とを備え、この上板部の上側の面が前記上面であることを特徴とする請求項１記載のグレーチング。
【請求項４】
前記嵩上げ材の上面が両側板部の上端面であり、これら両側の上端面の間が開口して前記開口部を構成したことを特徴とする請求項２記載のグレーチング。
【請求項５】
前記上板部が前記側板部の外側に向き、両側板部の上端の間が開口して前記開口部を構成したことを特徴とする請求項３記載のグレーチング。
【請求項６】
前記嵩上げ材は、底板部と、両側板部と、前記底板部と前記側板部との間に設けた折曲げ部と、本体左右方向内側の前記側板部の上端に折曲げ部により連結され前記側板部の外側に向く横方向の上板部とを備え、この上板部の上側の面及び本体左右方向外側の前記側板部の上端面が前記上面であることを特徴とする請求項１記載のグレーチング。
【請求項７】
前記両側板部の内面を連結する補強リブを備え、この補強リブと前記底板部との間に隙間を設けたことを特徴とする請求項２〜６のいずれか１項に記載のグレーチング。
【考案の詳細な説明】
【技術分野】
【０００１】
本考案は、複数のメインバーを有する本体と、この本体の両側下部に一体に設けられた嵩上げ材とを備えたグレーチングに関する。
【背景技術】
【０００２】
従来、この種のものとして、上下に貫通する複数の排水口を間に形成するように、間隔をおいて並設される複数のメインバーを有する、グレーチング本体を備え、このグレーチング本体には、メインバーの両側端部の下側に嵩上げ部材を設けたグレーチング（例えば特許文献１）や、メインバーである主部材の左右の両端を端板として、長方形盤のグレーチング本体とし、このグレーチング本体の両端下部に角筒状の嵩上げ材を固着したグレーチング（例えば特許文献２）などが知られている。
【先行技術文献】
【特許文献】
【０００３】
【特許文献１】特開２００６−１７７１２１号公報
【特許文献２】特開２００９−２２８２９５公報
【考案の開示】
【考案が解決しようとする課題】
【０００４】
上記のグレーチングでは、メインバーの間の排水口から雨の排水を行っているが、嵩上げ材に角パイプなどを用いているため、嵩上げ材の部分では排水口が塞がれ、排水性が低下するという問題がある。また、一般的に嵩上げ材に規格の角パイプを用いるため、寸法に制限を受け易く、コストダウンを図る上での課題となっていた。
【０００５】
そこで、本考案は、上記問題点を解決するものであり、排水性の向上を図り、嵩上げ材の寸法の多様化を図ることができるグレーチングを提供することを目的とする。
【課題を解決するための手段】
【０００６】
請求項１の考案は、上下に貫通する複数の排水口を間に形成するように間隔をおいて並設される複数のメインバーを有する本体と、この本体の両側下部に一体に設けられた嵩上げ材とを備えたグレーチングにおいて、前記メインバーの下部に前記嵩上げ材の上面が接し、前記嵩上げ材の前記上面に長さ方向に連続する開口部を設け、前記嵩上げ材の長さ方向端部に端部開口部を設けたことを特徴とするグレーチング。
【０００７】
請求項１の構成によれば、上面の長さ方向に連続して設けた開口部から、雨水を嵩上げ材に内部を通して端部開口部から排水できるため、排水性を向上することができ、しかも、開口部の分だけ製品の軽量化を図ることができる。
【０００８】
請求項の考案２は、前記嵩上げ材は、底板部と、両側板部と、前記底板部と前記側板部との間に設けた折曲げ部とを備えることを特徴とする請求項１記載のグレーチング。
【０００９】
請求項２の構成によれば、板材などを折り曲げて嵩上げ部材を形成するから、高さ及び幅などの寸法の多様化を図ることができる。
【００１０】
請求項の考案３は、前記嵩上げ材は、底板部と、両側板部と、前記底板部と前記側板部との間に設けた折曲げ部と、前記両側板部の少なくとも一方の上端に折曲げ部により連結した横方向の上板部とを備え、この上板部の上側の面が前記上面であることを特徴とする。
【００１１】
請求項３の構成によれば、開口部を設けながら、上板部によりメインバーを支持することができる。
【００１２】
請求項の考案４は、前記嵩上げ材の上面が両側板部の上端面であり、これら両側の上端面の間が開口して前記開口部を構成したことを特徴とする請求項２記載のグレーチング。
【００１３】
請求項４の構成によれば、２箇所の折曲げ加工のみで所望寸法の嵩上げ材を得ることができ、しかも、上部が全面的に開口しているから、排水性に優れ、軽量化と材料削減による低コスト化が可能となる。
【００１４】
請求項の考案５は、前記上板部が前記側板部の外側に向き、両側板部の上端の間が開口して前記開口部を構成したことを特徴とする請求項３記載のグレーチング。
【００１５】
請求項５の構成によれば、上板部によりメインバーを支持することができ、しかも、上部が全面的に開口しているから、排水性に優れ、軽量化と材料削減による低コスト化が可能となる。
【００１６】
請求項の考案６は、前記嵩上げ材は、底板部と、両側板部と、前記底板部と前記側板部との間に設けた折曲げ部と、本体左右方向内側の前記側板部の上端に折曲げ部により連結され前記側板部の外側に向く横方向の上板部とを備え、この上板部の上側の面及び本体左右方向外側の前記側板部の上端面が前記上面であることを特徴とする。
【００１７】
請求項６の構成によれば、上板部によりメインバーを支持することができ、しかも、上部が全面的に開口しているから、排水性に優れ、軽量化と材料削減による低コスト化が可能となり、さらに、本体左右方向外側の前記側板部を本体の両側に沿わせて配置することができる。
【００１８】
請求項の考案７は、前記両側板部の内面を連結する補強リブを備え、この補強リブと前記底板部との間に隙間を設けたことを特徴とする。
【００１９】
請求項７の構成によれば、開口部を設けながら両側面間の強度を向上することができ、また、隙間から雨水を排水することができる。
【考案の効果】
【００２０】
本考案では、開口部と側部開口部から雨水を排水するため、排水性の向上を図ることができ、折曲げ部により嵩上げ材の寸法を任意に設定することができ、寸法の多様性に対応可能なグレーチングを提供することができる。
【図面の簡単な説明】
【００２１】
【図１】本考案の実施例１を示す一部切欠き斜視図である。
【図２】同上、平面図である。
【図３】同上、嵩上げ材の断面図である。
【図４】本考案の実施例２を示す嵩上げ材の断面図である。
【図５】本考案の実施例３を示す嵩上げ材の断面図である。
【図６】本考案の実施例４を示す嵩上げ材の断面図である。
【図７】本考案の実施例５を示す嵩上げ材の断面図である。
【図８】本考案の実施例６を示す嵩上げ材の断面図である。
【図９】本考案の実施例７を示す嵩上げ材の断面図である。
【考案を実施するための形態】
【００２２】
本考案における好適な実施の形態について、添付図面を参照しながら詳細に説明する。なお、以下に説明する実施の形態は、実用新案登録請求の範囲に記載された本考案の内容を限定するものではない。また、以下に説明される構成の全てが、本考案の必須要件であるとは限らない。各実施例では、従来とは異なる新規なグレーチングを採用することにより、従来にないグレーチングが得られ、そのグレーチングについて記述する。
【実施例１】
【００２３】
以下、本考案の実施例を添付図面を参照して説明する。図１〜図３は本考案の実施例１を示し、同図に示すように、本実施例のグレーチングは、例えば、側溝とか集水枡等の蓋として用いられたり、あるいは、床や階段の床板として用いられたりする金属製のグレーチングであって、特に、側溝の蓋として公的なものである。
【００２４】
前記グレーチング１は、グレーチングの本体２を備え、この本体２は、上下に貫通する複数の排水口３，３を間に形成するように、間隔をおいて並設される複数のメインバー４，４を有し、これらメインバー４、４の上端部分を繋ぐと共にそれらメインバー４，４に直交するように補助バー５，５（詳細には、ツイストバー）を並設し、その幅方向両側に端板６，６を設けて周囲を塞ぐと共に、長さ方向両側に端板７，７を設けて周囲を塞いでなる。
【００２５】
前記本体２の幅方向両側には、嵩上げ材１１，１１が一体に設けられている。この嵩上げ材１１は、底板部１２と、両側板部１３，１３Ａと、これら底板部１２と両側板部１３，１３Ａ間に設けた略９０度の折曲げ部１４，１４を有し、この例では本体内側の前記側板部１３Ａの上端に折曲げ部１５により横方向の上板部１６を連結し、この上板部１６は嵩上げ材１１の内側に向き、前記上板部１６の先端と本体外側の前記側板部１３の上端面１３Ｔとの間に開口部１７を設け、この開口部１７は前記嵩上げ材１１の全長に設けられ、この嵩上げ材１１の長さ方向端部には端部開口部１８が設けられている。そして、前記上板部１６の上側面１６Ｍと前記上端面１３Ｔにより前記嵩上げ材１１の上面を構成し、それら上側面１６Ｍと前記上端面１３Ｔに前記メインバー４の下部が接している。尚、この場合、上側面１６Ｍと前記上端面１３Ｔの一方の前記メインバー４が接していればよい。また、嵩上げ材１１は、所定寸法に形成した金属製の板材を、略９０度の折曲げ部１４，１４，１５において折曲げ加工を施すことにより製造される。
【００２６】
また、前記両側板部１３，１３Ａの内面を連結する補強リブ２１を備え、この補強リブ２１の下縁と前記底板部１６の上面との間には、隙間２２が設けられ、この隙間２２を通して雨水などを排水することができる。尚、補強リブ２１の両端は両側板部１３，１３Ａの内面に溶着などにより固定され、また、補強リブ２１の高さ寸法は、両側板部１３，１３Ａの高さの１／２以下である。
【００２７】
このように本実施例では、請求項１に対応して、上下に貫通する複数の排水口３，３を間に形成するように間隔をおいて並設される複数のメインバー４，４を有する本体２と、この本体２の両側下部に一体に設けられた嵩上げ材１１，１１とを備えたグレーチング１において、メインバー４の下部に嵩上げ材１１の上面が接し、嵩上げ材１１の上面に長さ方向に連続する開口部１７を設け、嵩上げ材１１の長さ方向端部に端部開口部１８を設けたから、上面の長さ方向に連続して設けた開口部１７から、雨水を嵩上げ材１１に内部を通して端部開口部１８から排水できるため、排水性を向上することができ、しかも、開口部１７の分だけ製品の軽量化を図ることができる。
【００２８】
また、このように本実施例では、請求項２に対応して、嵩上げ材１１は、底板部１２と、両側板部１３，１３Ａと、底板部１２と側板部１３との間に設けた折曲げ部１４とを備えるから、板材などを折り曲げて嵩上げ部材１１を形成することにより、高さ及び幅などの寸法の多様化を図ることができる。
【００２９】
また、このように本実施例では、請求項３に対応して、嵩上げ材１１は、底板部１２と、両側板部１３，１３と、底板部１２と側板部１３との間に設けた折曲げ部１４と、両側板部１３，１３の少なくとも一方の上端に折曲げ部１５により連結した横方向の上板部１６とを備え、この上板部１６の上側の面である上側面１６Ｍが前記上面であるから、開口部１７を設けながら、上板部１６によりメインバー４を支持することができる。
【００３０】
また、このように本実施例では、請求項７に対応して、両側板部１３，１３Ａの内面を連結する補強リブ２１を備え、この補強リブ２１と底板部１２との間に隙間２２を設けたから、開口部１７を設けながら両側面間１３，１３Ａの強度を向上することができ、また、隙間２２から雨水を排水することができる。
【実施例２】
【００３１】
図４は、本発明の実施例２を示し、上記実施例１と同一部分に同一符号を付し、その詳細な説明を省略して詳述する。この例の嵩上げ材１１の底板部１２と、両側板部１３，１３Ａと、これら底板部１２と両側板部１３，１３Ａ間に設けた略９０度の折曲げ部１４，１４を有し、両側板部１３，１３Ａの上端面１３Ｔ，１３Ｔにより嵩上げ材１１の上面を構成し、前記両側板部１３，１３Ａの上端面１３Ｔ，１３Ｔの間が開口して前記開口部１７を構成している。
【００３２】
このように本実施例では、請求項１，２及び７に対応して、上記実施例１と同様な作用・効果を奏し、また、このように本実施例では請求項４に対応して、嵩上げ材１１の上面が両側板部１３，１３Ａの上端面１３Ｔ，１３Ｔであり、これら両側の上端面１３Ｔ，１３Ｔの間が開口して開口部１７を構成したから、２箇所の折曲げ加工のみで所望寸法の嵩上げ材１１を得ることができ、しかも、上部が全面的に開口しているから、排水性に優れ、軽量化と材料削減による低コスト化が可能となる。
【実施例３】
【００３３】
図５は、本発明の実施例３を示し、上記各実施例と同一部分に同一符号を付し、その詳細な説明を省略して詳述する。この例の嵩上げ材１１の底板部１２と、両側板部１３，１３Ａと、これら底板部１２と両側板部１３，１３Ａ間に設けた略９０度の折曲げ部１４，１４を有し、本体外側の前記側板部１３の上端に折曲げ部１５により横方向の上板部１６を連結し、この上板部１６は嵩上げ材１１の内側に向き、前記上板部１６の先端と本体外側の前記側板部１３Ａの上端面１３Ｔとの間に開口部１７を設け、前記上板部１６の上側面１６Ｍと前記側板部１３Ａの上端面１３Ｔにより前記嵩上げ材１１の上面を構成している。
【００３４】
このように本実施例では、請求項１，２，３及び７に対応して、上記各実施例と同様な作用・効果を奏する。
【実施例４】
【００３５】
図６は、本発明の実施例４を示し、上記各実施例と同一部分に同一符号を付し、その詳細な説明を省略して詳述する。この例の嵩上げ材１１は、両側板部１３，１３Ａの上端に折曲げ部１５，１５により横方向の上板部１６，１６を連結し、これら上板部１６，１６は嵩上げ材１１の内側に向き、前記上板部１６，１６の先端間に開口部１７を設けている。
【００３６】
このように本実施例では、両側板部１３，１３の両方の上端に折曲げ部１５，１５により連結した横方向の上板部１６，１６とを備え、この上板部１６，１６の上側の面である上側面１６Ｍ，１６Ｍが前記上面であるから、請求項１，２，３及び７に対応して上記各実施例と同様な作用・効果を奏する。
【実施例５】
【００３７】
図７は、本発明の実施例５を示し、上記各実施例と同一部分に同一符号を付し、その詳細な説明を省略して詳述する。この例の嵩上げ材１１は、両側板部１３，１３Ａの上端に折曲げ部１５Ａ，１５Ａにより横方向の上板部１６Ａ，１６Ａを連結し、これら上板部１６Ａ，１６Ａは嵩上げ材１１の外側に向き、両上板部１６Ａ，１６Ａの上側面１６Ｍ，１６Ｍにより前記嵩上げ材１１の上面を構成し、また、両側板部１３，１３Ａの上端間に開口部１７を設けている。
【００３８】
このように本実施例では、両側板部１３，１３の両方の上端に折曲げ部１５Ａ，１５Ａにより連結した横方向の上板部１６，１６とを備え、この上板部１６，１６の上側の面である上側面１６Ｍ，１６Ｍが前記上面であるから、請求項１，２，３及び７に対応して上記各実施例と同様な作用・効果を奏し、また、このように本実施例では、請求項５に対応して、上板部１６が側板部１２の外側に向き、両側板部１２，１２の上端の間が開口して開口部１７を構成したから、上板部１６，１６によりメインバー４を支持することができ、しかも、上部が全面的に開口しているから、排水性に優れたものとなる。
【実施例６】
【００３９】
図８は、本発明の実施例６を示し、上記各実施例と同一部分に同一符号を付し、その詳細な説明を省略して詳述する。この例の嵩上げ材１１は、本体内側の側板部１３Ａの上端に折曲げ部１５Ａにより横方向の上板部１６Ａを連結し、この上板部１６Ａは嵩上げ材１１の外側に向き、この上板部１６Ａの上側面１６Ｍ及び側板部１３の上端面１３Ｔにより前記嵩上げ材１１の上面を構成し、また、両側板部１３，１３Ａの上端間に開口部１７を設けている。
【００４０】
このように本実施例では、請求項１，２，３，５及び７に対応して、上記実施例１と同様な作用・効果を奏し、また、このように本実施例では、請求項６に対応して、嵩上げ材１１は、底板部１２と、両側板部１３，１３と、底板部１２，１２と側板部１３，１３との間に設けた折曲げ部１４，１４と、本体左右方向内側の側板部１３Ａの上端に折曲げ部１５Ａにより連結され側板部１３Ａの外側に向く横方向の上板部１６とを備え、この上板部１６の上側の面たる上側面１６Ｍ及び本体左右方向外側の側板部１３の上端面１３Ｔが上面であるから、上板部１６によりメインバーを支持することができ、しかも、上部が全面的に開口しているから、排水性に優れ、さらに、本体左右方向外側の側板部１３を本体２の両側に沿わせて配置することができる。
【実施例７】
【００４１】
図９は、本発明の実施例７を示し、上記各実施例と同一部分に同一符号を付し、その詳細な説明を省略して詳述する。この例の嵩上げ材１１は、本体外側の側板部１３の上端に折曲げ部１５Ａにより横方向の上板部１６Ａを連結し、この上板部１６Ａは嵩上げ材１１の外側に向き、この上板部１６Ａの上側面１６Ｍ及び側板部１３Ａの上端面１３Ｔにより前記嵩上げ材１１の上面を構成し、また、両側板部１３，１３Ａの上端間に開口部１７を設けている。
【００４２】
このように本実施例では、請求項１，２，３，５及び７に対応して、上記実施例１と同様な作用・効果を奏する。
【００４３】
尚、本考案は、本実施例に限定されるものではなく、本考案の要旨の範囲内で種々の変形実施が可能である。
【符号の説明】
【００４４】
１  グレーチング
２  本体
３  排水口
１１  嵩上げ材
１２  底板部
１３  側板部（本体左右方向外側の側板部）
１３A  側板部（本体左右方向内側の側板部）
１３Ｔ  上端面（上面）
１４  折曲げ部
１５  折曲げ部
１５Ａ  折曲げ部
１６  上板部
１６Ｍ  上側面（上面）
１７  開口部
１８  端部開口部
【図１】
0003173152.tif 000003
【図２】
0003173152.tif 000004
【図３】
0003173152.tif 000005
【図４】
0003173152.tif 000006
【図５】
0003173152.tif 000007
【図６】
0003173152.tif 000008
【図７】
0003173152.tif 000009
【図８】
0003173152.tif 000010
【図９】
0003173152.tif 000011